(57)【特許請求の範囲】
【請求項１】
ドアを有する閉塞体用のラッチシステムであって、
前記ドアの内側に取り付けられたラッチバーと、
前記ドアの外側に取り付けられた作動手段と、
前記ラッチバーに取り付けられて、自体の内部に形成された複数の歯を具備するラック部材と、
を備え、
前記ドアがその中に形成されたオリフィスを有し、前記ラック部材が前記ドアの前記外側の前記作動手段と係合すべく前記ドアの前記内側から前記オリフィスを通って延びることが可能であり、前記ラッチバーが溝を形成している断面Ｕ字形状のバーを含み、前記ラック部材が前記ラッチバーの前記溝内に挿入することから成るラッチシステム。
【請求項２】
前記ラック部材の前記複数の歯が、前記ドアの表面と平行して延在している、請求項１に記載のラッチシステム。
【請求項３】
前記閉塞体と係合するために、前記ラック部材とは反対側の前記ラッチバー上に取り付けられた係合手段を更に備える、請求項１に記載のラッチシステム。
【請求項４】
前記係合手段が、前記ラッチバーから延びるフィンガー部材を含む、請求項３に記載のラッチシステム。
【請求項５】
前記フィンガー部材がその上に取り付けられたローラを含む、請求項４に記載のラッチシステム。
【請求項６】
各スタッド部材上にそれぞれ取り付けられて前記ラッチバーに形成された対応する複数のスロットを通って延びているガイド部材を更に備え、前記ラッチバーの運動が、前記スロットの端部と係合している前記スタッド部材よって制限される、請求項１に記載のラッチシステム。
【請求項７】
ドアを有する閉塞体用のラッチシステムであって、
前記ドアの内側に取り付けられたラッチバーと、
前記ドアの外側に取り付けられた作動手段と、
前記ラッチバーに取り付けられて、自体の内部に形成された複数の歯を具備するラック部材と、
を備え、
前記ドアがその中に形成されたオリフィスを有し、前記ラック部材が前記ドアの前記外側の前記作動手段と係合すべく前記ドアの前記内側から前記オリフィスを通って延びることが可能であり、当該ラッチシステムが可逆的に取り付け可能なラック部材を含むことから成るラッチシステム。
【請求項８】
ドアを有する閉塞体用のラッチシステムであって、
前記ドアの内側に取り付けられたラッチバーと、
前記ドアの外側に取り付けられた作動手段と、
前記ラッチバーに取り付けられて、自体の内部に形成された複数の歯を具備するラック部材と、
を備え、
前記ドアがその中に形成されたオリフィスを有し、前記ラック部材が前記ドアの前記外側の前記作動手段と係合すべく前記ドアの前記内側から前記オリフィスを通って延びることが可能であり、当該ラッチシステムが可逆的に取り付け可能なフィンガー部材を含むことから成るラッチシステム。
【請求項９】
ドアを有する閉塞体用のラッチシステムであって、
前記ドアの内側に取り付けられたラッチバーと、
前記ドアの外側に取り付けられた作動手段と、
前記ラッチバーに取り付けられて、自体の内部に形成された複数の歯を具備するラック部材と、
を備え、
前記ドアがその中に形成されたオリフィスを有し、前記ラック部材が前記ドアの前記外側の前記作動手段と係合すべく前記ドアの前記内側から前記オリフィスを通って延びることが可能であり、前記ラック部材の前記複数の歯が前記ドアを貫通して延びることができるから成るラックシステム。
【請求項１０】
前記作動手段が、前記ラック部材の前記複数の歯と係合する複数の歯が形成された回転自在な歯車を含む、請求項９に記載のラッチシステム。
【請求項１１】
前記閉塞体に取り付けられて、前記ラッチバーの前記フィンガー部材と係合している保持部材を含むラッチキャッチを更に備える、請求項４に記載のラッチシステム。
【請求項１２】
前記保持部材が、前記フィンガー部材と係合する屈曲された案内部を有する、請求項１１に記載のラッチシステム。
【請求項１３】
前記ラッチキャッチが、互いに反対方向へ延在する案内部をそれぞれ有する一対の保持部材を含む、請求項１２に記載のラッチシステム。
【請求項１４】
前記ラッチバーの前記溝内に取り付けられて前記ドアと摺動自在に係合可能な案内ブロックを更に備える、請求項１に記載のラッチシステム。
【請求項１５】
ドアを有する閉塞体用のラッチシステムであって、
前記ドアの内側に取り付けられたラッチバーと、
前記ドアの外側に取り付けられた作動手段と、
前記ラッチバーの内側に取り付けられて、自体の内部に形成された複数の歯を具備する可逆的に取付可能なラック部材であり、前記ドアがその中に形成されたオリフィスを有し、前記ラック部材が前記作動手段と係合すべく前記オリフィスを通って延びることが可能であることから成る可逆的に取付可能なラック部材と、
前記ラッチバーの外側に取り付けられた可逆的に取付可能なフィンガー部材と、
閉鎖位置において前記フィンガー部材と係合し、該フィンガー部材が逆転的に取り付けられた際に当該フィンガー部材と係合する手段を含むラッチキャッチと、
を備えるラッチシステム。
【請求項１６】
前記ラック部材及び前記フィンガー部材が、前記ラッチバーに沿った異なる箇所に選択的に位置決め可能である、請求項１５に記載のラッチシステム。
【発明の詳細な説明】
【０００１】
【発明の属する技術分野】
本発明は閉塞体用のラッチシステムに関し、より詳細にはドアの内側に可逆的に取付可能なラッチシステムに関する。
【０００２】
【従来の技術】
閉塞体ドア用の様々なラッチシステムがよく知られており、種々の構成を採用している。先行技術に係るラッチシステムはその意図された用途には良好に動作するであろうが、異なる閉塞体に好都合に供するための多重的な取付構成や作動上の融通性又は汎用性を提供するものではない。
【０００３】
閉塞体として工場環境や他の産業状況で一般的に要望されるものは、水、有害な液体、ほこり等の侵入を防止し、事故を防止し、不認可の使用を防止すべく、密閉された閉塞体である。そうした閉塞体に使用されるラッチシステムは密閉される必要性があるか、或いは、そうした閉塞体の有用性が減ぜられるかである。欲せざる物質の侵入を低減するために、しばしば、付加的なハウジング或いは精巧な密閉システムでラッチシステムの各種部分を囲むことが必要とされる。
【０００４】
更に、先行技術のラッチシステムはラッチシステムを作動させるための特殊なハンドルを一般的に必要とする。理解して頂けるように、様々な使用条件下での作動環境の苛酷さや、安全性の要件、実施容易性、並びに、閉塞体内部の種々の要素に必要とされる保護レベル等に応じて、様々なタイプのハンドルの必要性が生じ得る。
【０００５】
先行技術に係るラッチシステムの一例がドイツ特許番号第Ｇ９３  ０５  ８９３．４号に開示されている。このラッチシステムはドアの内側に取り付けられるるが、それはアクチュエーター・ハンドルと係合するためにドアの外側に取り付けられる仲介ラック部材を必要としている。更に、ドアの外側に取り付けられる複雑なラッチハンドル及び歯車機構が、密閉状態の内部環境を提供することを益々困難にしている。
【０００６】
【発明が解決しようとする課題】
理解して頂けるように、ドアが左側もしくは右側に開かれるような構成にラッチ機能を提供する構成要素を用いた新規で且つ改善されたラッチシステム又はロッキングシステムが要望されている。更に、そうしたラッチシステムは、システムを作動させるためのハンドルの回転を、時計方向或いは反時計方向のいずれの側にも可能とすべきである。ハンドルの方向に加えて、使用できるハンドルのタイプもまた、安全性レベル及びロッキング機構のタイプと共にそのシステムに応じて可変であるべきであり、ドアの外側に取り付けられるべきである。これらのオプションによって得られる融通性又は汎用性に加えて、ラッチシステムの融通性又は汎用性が、設置の直前というよりむしろ閉塞体の寿命が続く間、ラッチシステムの様々な特徴を変化させることができるべきである。本発明はこれらの問題と共に、閉塞体のラッチシステムと関連する他の問題を重点的に取り上げる。そして、本発明はラッチシステムに関し、特に密閉された産業上の閉塞体用に可逆的な取付ができるラッチシステムに関する。
【０００７】
本発明の目的は使用可能な閉塞体スペースを占有することのないラッチシステムを提供することである。このラッチシステムは閉塞体のガスケット領域の外側に配置すべきであり、外側から取り付けられるラッチを提供すべきである。
【０００８】
本発明の更なる目的は、ドア取付位置及びドア作動方向を逆転し、また作動ハンドルの揺動方向を逆転することができるラッチシステムを提供することである。
【０００９】
本発明の他の目的は、簡単な工具、専門工具、並びに種々のハンドル仕様によって作動可能なラッチシステムであって、様々なロッキングオプションに適合でるラッチシステムを提供することである。
【００１０】
また本発明の他の目的は、ラッチング作動の間にフレームに向かってドアを引っ張り、それによって密閉ガスケットの圧縮と、閉塞体のより良好な密閉性とを提供することである。
【００１１】
本発明の更なる目的は、ラッチ位置とラッチ解除位置との両方で移動制限が行われるラッチシステムを提供することである。
【００１２】
発明を特徴付ける新規性及び他の利点の特徴は、本明細書に添付されその一部を形成するクレームにおいて詳細に述べられている。しかし、発明、その利点及びそれを使用することによって得られる目的をより良く理解するために、更に明細書の一部を形成する図面、及び発明の好適な実施例に関する以下の説明を参照すべきである。
【００１３】
【課題を解決するための手段】
以上に鑑み、本発明に係るラッチシステムは、ドアを有する閉塞体用のラッチシステムであって、前記ドアの第１側に取り付けられたラッチバーと、ドアの第２側に取り付けられた作動手段と、前記ラッチバーに取り付けられて、複数の歯を具備するラック部材と、を備え、前記ドアがオリフィスを有し、前記ラック部材が前記ドアの前記第２側上の前記作動手段と係合すべく前記ドアの前記第１側から前記オリフィスを通って延びることが可能であるように構成される。また、本発明に係るラッチシステムは、ドアを有する閉塞体用のラッチシステムであって、前記ドアの第１側に取り付けられたラッチバーと、ドアの第２側に取り付けられた作動手段と、前記ラッチバーの第１側に取り付けられて、複数の歯を具備する可逆的に取付可能なラック部材であり、前記ドアがオリフィスを有し、前記作動手段と係合すべく前記オリフィスを貫通して延びることが可能である可逆的に取付可能なラック部材と、前記ラッチバーの第２側に取り付けられた可逆的に取付可能なフィンガー部材と、閉鎖位置において前記フィンガー部材と係合し、該フィンガー部材が逆転的に取り付けられた際に当該フィンガー部材と係合する手段を含むラッチキャッチと、を備えて構成される。
【００１４】
【発明の実施の形態】
図面中、特に図１乃至図３において、ラッチシステムが全般的に符号１０で示されている。ラッチシステム１０は図８に示されるように、閉塞体ドア１２に取り付けられている。好適実施例において、ラッチシステム１０はドア１２の内側に取り付けられており、後述するように、ガスケット９０の外側に位置決めされたオリフィス９２においてのみドアを貫通して延びている。ガスケット９０は閉塞体フレーム１１と係合し、密閉状態の閉塞体を提供する。尚、図面中、同様の参照符合は幾つかの図を通して対応する構成要素を示すものとする。
【００１５】
再度、図１乃至図３を参照すれば、ラッチシステム１０はドア１２の内側に取付可能なラッチバー１４を含む。このラッチバー１４は、１つ又はそれ以上のラック部材３０を具備するラックピニオン・アセンブリ１８を含み、図３に示すように、それらラック部材３０がオリフィス９２を通って延び、図９にも示されるように、ドア１２の外側にあるアクチュエーター１６と係合する。アクチュエーター１６は、ラッチシステム１０を作動させるために多くの構成を取ることができる。アクチュエーター１６は、閉塞体やその環境の要件に応じて、工具によって或いはハンドルに対する連結によって回転するよう構成することができる。図９に示された形態において、アクチュエーター１６は、後述されるように、工具受け入れ部５６と、ラック部材３０に噛み合うように構成された歯５４とを含む。また、アクチュエーター１６は、該アクチュエーター１６の回転を制限するための停止部５８をも含む。更に、ラッチシステム１０はドア１２の外側に取付可能なロックまたは他のアクチュエーターを受け入れるように適合できる。理解して頂けるように、アクチュエーター１６は、ドア１２の外側に全体的に取り付けられている一方、ラッチシステム１０はドアの内側に取り付けられている。ラック部材３０だけがオリフィス９２を通って延在し、アクチュエーター１６と係合している。この構成の場合、閉塞体のガスケットが設けられた領域内部において、ドア１２を通じて取り付けられる多数の構成要素を要求するシステムと比べて、密閉処理が遙かに容易である。
【００１６】
図１及び図２に示すように、ラッチバー１４は多数のフィンガー部材２０を含み、図３に示されるように、これらフィンガー部材２０は閉塞体フレーム１１に取り付けられた対応するラッチキャッチ２２と係合する。また、ラッチバー１４はその上に取り付けられてドア表面上を摺動する滑り部材２４と、ドア１２に対してラッチバー１４を実質的に保持させる取付クリップ２６とを備える。
【００１７】
次に図３において、ラッチシステム１０はドア１２の内側に取り付けられ、ラック部材３０がオリフィス９２を通って延びてアクチュエーター１６と係合しており、該アクチュエーター１６はドア１２の外側に全体的に取り付けられている。ラッチバー１４に取り付けられているラッチシステム１０の他の要素は、全てドア１２の内側にある。ラック部材３０は、図４に示されるように、細長い部分に沿って整合された多数の歯３２を含み、図９に示されるように、アクチュエーター１６と係合している。また、ラック部材３０は歯３２とは反対方向に延びるタブ３４を含み、該タブ３４は図２に最も明瞭に示されているように、ラッチバー１４に形成された細長いスロット４０に挿入される。ラッチバー１４は略Ｕ字型の溝形部材であり、後述するように、スロット及びオリフィスが様々なラッチシステム要素を受け入れるために該溝形部材の溝の底部に形成されている。ラック部材３０の各端部にはラッチバー１４の溝の基部に形成された穴４２に取り付けられるネジ３８を受け入れる取付ボア３６がそれぞれ形成されている。理解して頂けるように、スロット４０を通じて延びるタブ３４はラック部材３０を整合させる。また、理解して頂けるように、ラック部材３０はラッチバー１４の溝内に可逆的に取り付けることができるので、アクチュエーター１６が様々な異なる構成のドアに使用でき、ドア１２に形成されるオリフィス９２のいずれかの側にあるラック部材３０と係合し、左側もしくは右側に開くためにドア１２を逆転させることができる。
【００１８】
次に図５において、ラッチバー１４からその溝とは反対方向に上向きに延びるフィンガー部材２０が示されている。フィンガー部材２０は延長して隆起したフィンガー部６０と、フィンガー部材２０をラッチバー１４に取り付けられるためのネジまたは他の取付ハードウェア６７を受け入れる取付オリフィス６２とを含む。更に、フィンガー部材２０はフィンガー部６０の延長端にあるピン６６に取り付けられたローラ６４を含む。後述するように、ローラ６４はラッチキャッチとより容易に係合するため、好ましくは低摩擦材料である。理解して頂けるように、フィンガー部材２０は、中心穴４６に挿入される中心取付ポスト（又は中心取付柱）をも含む一方、ネジ６７が図１に示された穴４８に挿入される。理解して頂けるように、フィンガー部材２０はいずれの方向にも延在するように位置付けされ、取付ネジをラッチバー１４に取り付けることができる。これはドア１２の可逆性を提供するフィンガー部材２０の可逆性を容易に提供する。
【００１９】
滑り部材２４は、ラッチバー１４の溝内に据えられて該溝部から延びる、一般的には低摩擦プラスチック製部材であり、ネジ５２もしくは他のハードウェアでラッチバー１４内のオリフィス５０を通して取り付けられる。滑り部材２４は、ラッチバー１４が前後に摺動するようにラッチバー１４の溝部をわずかに超えて延び、滑り部材２４がドア表面と係合してラッチシステム１０の摩擦を減少させると共に移動を容易にする。
【００２０】
図６に示したように、取付クリップ２６は図３に示したようなドア１２の内側表面に典型的に取り付けられるスタッド部分７０を含む。スタッド７０はそのなかに形成された溝７６とテーパ状端部とを含み、このテーパ状端部は、後述するように、クリップハウジング７２への挿入を容易にする。コッター型ピン７４がハウジング７２内のスロット７７内に延び、スタッド７６内の溝７６と係合する。ピン７４は着脱自在であり、スタッド７０からのハウジング７２の取り外しを容易にしている。
【００２１】
取付クリップ２６はラッチバー１４に形成されるスロット４４を通って延びる。スタッド７０がスロットを通って延びる一方、ハウジング７２がラッチバー１４の底部外側と係合し、その側面部７８がラッチバーと整合してラッチバーを保持する。このようにして、ラッチバー１４がドア１２に対して保持される。好適実施例において、ハウジング７２もまた摩擦を低減させるためにプラスチックで形成される一方、ラッチバー１４がハウジングに対して摺動する。理解して頂けるように、スタッド部７０がスロット４４内で摺動し、ラッチバー１４の動きを制限している。このようにして、スロット４４がスタッド７０と係合するので、ラックを前後に動かすためのアクチュエーター１６の回転がスロット４４の長さによって制限されている。
【００２２】
次に図７において、ラッチキャッチ２２は図３に示されるように閉塞体１１を密閉するためのガスケット８８を受け入れるように構成され得る基部８０を含む。更に、立ち上がり部８２が上向きに延びて反対側に配置される保持部材８４を支持する。保持部材８４の各々は、ラッチキャッチ２２の各端から長手方向外向きに延びて上向きに曲がった屈曲部８６を含む。ドアが閉じられた時、フィンガー部材２０のローラ６４がラッチキャッチ２２の屈曲部８６と係合するように、ラッチキャッチ２２が取り付けられている。屈曲部８６は、フィンガー部６０がキャッチ２２の保持部材８４と適切に係合するように、フィンガー部材２０をラッチキャッチ２２に係合させるように導くための傾斜路として作用する。ラッチキャッチ２２とフィンガー部材２０とは、緊密な閉鎖と、閉塞体内部の緊密に密閉された環境のために、ガスケットに対する圧力とを提供している。理解して頂けるように、ラッチキャッチ２２のこうした構成によって、保持部材８４はラッチのどちらの端にも配置されている。この構成では、ラッチキャッチ２２のどちらの端からでも、対応するフィンガー部材７６の係合を可能としている。ドア１２の作動方向は可逆的であるので、ラッチキャッチ２２は、二組の異なる構成部材を必要とすることなく、左に開くドア或いは右に開くドアのいずれのドアに対しても用いることができる。
【００２３】
【発明の効果】
本発明によれば、ラッチシステム１０は取り付けに際して大きな融通性又は汎用性を提供するものであり、特に密閉状態の閉塞体に取付可能である。本ラッチシステム１０は、ラック部材３０のためだけにドア１２を貫通して延在することを要求するラッチバー１４に実質的に取り付けられる。ドア１２は、ラッチシステム１０を受け入れるために、該ドアを貫通するオリフィス９２の形成だけで修正される。ラッチバーは、典型的にはドア１２の内側に溶接される取付スタッド７０に取り付けられる。更に本発明では、ドア１２の密閉ガスケット９０の外側に取り付けられるラッチシステム１０を提供する。この方法で、無塵で水密性の密閉状態閉塞体を維持する一方、大きな融通性又は汎用性と使用容易性とが提供される。
【００２４】
本ラッチシステム１０は随時逆転可能であり、ドア１２の開放方向を左右いずれの側にも変更できる。ラッチシステム１０は可逆的なラック部材３０と可逆的なフィンガー部材２０とを含み、該フィンガー部材２０はどちらの端でも当該フィンガー部材２０の係合を受け入れるように構成されるラッチキャッチ２２と係合する。アクチュエータ１６は全体的にドア１２の外側に取り付けられているので、アクチュエータ１６もまた、逆転されたラック部材３０がどちら側であろうが、該ラック部材３０と係合すべく逆転可能である。また、本ラッチシステム１０は、アクチュエータ１６における停止部分５８が必要に応じて回転を制限するように再位置付けできるので、閉塞体の要件に応じて、時計方向或いは反時計方向のいずれかの方向に回転することによってこのラッチシステムを移動するように構成されるアクチュエータ１６と係合する。また、ロックする必要がある場合、ハードウェアをアクチュエーター１６と共にドア１２の外側に取り付けることができるので、ラッチシステム１０はほとんど修正を必要としない。
【００２５】
前述の説明において発明の構造及び機能の詳細と共に、本発明の多くの特徴と利点について述べてきたが、この開示は例示目的のためだけであり、添付クレームにおいて使用される用語の広範な意味合いによって指摘される程度に、本発明の原理の範囲内で、特に部品の形状、サイズ及び配置において様々な変更が可能である。
【図面の簡単な説明】
【図１】本発明の原理に従ったラッチシステムの分解斜視図である。
【図２】図１に示されたラッチシステムのラック・ピニオンアセンブリの詳細図である。
【図３】図１に示したドア及びラッチシステムの側断面図である。
【図４】図２に示されたラック・ピニオンアセンブリのラック部材を示す斜視図である。
【図５】図１に示されたラッチシステムのラッチ用フィンガーとローラとの分解斜視図である。
【図６】図１に示されたラッチシステム用の取付クリップの分解斜視図である。
【図７】図１に示されたラッチシステム用のラッチキャッチの斜視図である。
【図８】図１に示されたラッチシステムを受けるように構成されたドアの前正面図である。
【図９】図１に示されたドアのラッチ部とラッチシステムを示す前正面図である。
【符号の説明】
１０  ラッチシステム
１２  閉塞体ドア
１４  ラッチバー
１６  アクチュエーター
２０  フィンガー部材
２２  ラッチキャッチ
２４  滑り部材
２６  取付クリップ
３０  ラック部材
３２  歯
４４  スロット
６０  フィンガー部分
７０  スタッド
７２  クリップハウジング
８４  保持部材
９０  ガスケット
９２  オリフィス
【図１】
0003996665.tif 000002
【図２】
0003996665.tif 000003
【図３】
0003996665.tif 000004
【図４】
0003996665.tif 000005
【図５】
0003996665.tif 000006
【図６】
0003996665.tif 000007
【図７】
0003996665.tif 000008
【図８】
0003996665.tif 000009
【図９】
0003996665.tif 000010